(57)【要約】【課題】ＤＶＤ−ＲやＤＶＤ−ＲＡＭなど異なる規格の光ディスクに情報の記録再生を行う光ヘッドが要求されている。【解決手段】光源と、光源から出射する発散ビームを略平行なビームに変換する集光レンズと、略平行なビームの少なくとも一方向のビーム径を拡大または縮小させて整形するビーム整形手段と、前記整形されたビームを光ディスクに集光する対物レンズを備える光ヘッドにおいて、集光レンズを光軸方向に移動可能とした。これにより、温度変化などの環境変化や経時変化などによって非点収差が発生しても、集光レンズを駆動して非点収差を補正することができるので、ＬＰＰやＣＡＰＡなどのアドレス再生が良好に行える。【選択図】  図１
2004227642.tif 000002
【特許請求の範囲】
【請求項１】
光源と、前記光源から出射する発散ビームを略平行なビームに変換する集光レンズと、前記略平行なビームの少なくとも一方向のビーム径を拡大または縮小させて整形するビーム整形手段と、前記整形されたビームを光情報記録媒体に集光する対物レンズを備える光ヘッドにおいて、前記集光レンズを光軸方向に移動可能とするレンズ駆動手段を備えたことを特徴とする光ヘッド。
【請求項２】
波長λ１の発散ビームを出射する第１の光源と、波長λ２の発散ビームを出射する第２の光源と、前記波長λ１の発散ビームと前記波長λ２の発散ビームを略平行なビームに変換する集光レンズと、前記波長λ１の略平行なビームの少なくとも一方向のビーム径を拡大または縮小させて整形するビーム整形手段と、前記整形された波長λ１の略平行なビームを第１の光情報記録媒体に集光し、かつ前記変換された波長λ２の略平行なビームを第２の光情報記録媒体に集光する対物レンズを備える光ヘッドにおいて、前記集光レンズを光軸方向に移動可能とするレンズ駆動手段を備えたことを特徴とする光ヘッド。
【請求項３】
前記レンズ駆動手段は、前記波長λ１のビームの非点収差の調整と、前記波長λ２のビームの球面収差の調整を行うことを特徴とする請求項２記載の光ヘッド。
【請求項４】
前記ビーム整形手段は、前記波長λ１のビームは透過し、前記波長λ２のビームは反射するダイクロイック膜を設けたことを特徴とする請求項２記載の光ヘッド。
【請求項５】
前記ビーム整形手段は、屈折率の異なる２つのプリズムで構成されていることを特徴とする請求項２記載の光ヘッド。
【請求項６】
前記ビーム整形手段はプリズムであり、前記集光レンズから前記対物レンズまでの光路で、前記波長λ１のビームは前記プリズムに少なくとも２回入射することで整形することを特徴とする請求項２記載の光ヘッド。
【請求項７】
前記ビーム整形手段は、少なくとも前記波長λ１のビームは透過し、前記波長λ２のビームは反射するダイクロイック膜を有する第１面と、前記透過した波長λ１のビームが反射する第２面と、前記反射した波長λ１のビームが透過する第３面を有し、前記第３面を透過した波長λ１のビームが再度、第３面に入射することで整形することを特徴とする請求項２記載の光ヘッド。
【請求項８】
前記ビーム整形手段のビーム整形方向と前記光情報記録媒体のトラック方向の成す角度が略４５度であることを特徴とする請求項１または請求項２記載の光ヘッド。
【請求項９】
請求項１〜請求項８記載のいずれかの光ヘッドと、前記光ヘッドと光情報記録媒体を相対的に移動させる回転系もしくは移送系と、前記光ヘッドから得られる信号に基づいて前記光ヘッド、前記回転系、前記移送系を制御する制御回路を有する光情報記録再生装置。
【請求項１０】
請求項９記載の光情報記録再生装置を外部記憶装置として備えるコンピュータ。
【請求項１１】
請求項９記載の光情報記録再生装置を備え、光情報記録媒体に映像を記録したり、再生する映像記録再生装置。
【請求項１２】
請求項９記載の光情報記録再生装置を備え、光情報記録媒体から映像を再生する映像再生装置。
【請求項１３】
請求項９記載の光情報記録再生装置を外部記憶装置として備えるサーバー。
【請求項１４】
請求項９記載の光情報記録再生装置を外部記憶装置として備えるカーナビゲーションシステム。
【発明の詳細な説明】
【０００１】
【発明の属する技術分野】
本発明は、光ヘッドから光情報記録媒体に光を照射して情報の記録または再生を行う光情報記録再生装置に関するものである。
【０００２】
【従来の技術】
高密度、大容量の光情報記録媒体としてＤＶＤ（Ｄｉｇｉｔａｌ  Ｖｅｒｓａｔｉｌｅ  Ｄｉｓｋ）と呼ばれる光ディスクがある。このような光ディスクは画像、音楽、コンピュータデータを記録する記録媒体として、最近急速に普及しつつある。
【０００３】
情報の追記が可能な光ディスクであるＤＶＤ−Ｒなどにおいては、アドレス情報を記録したＬＰＰ（Ｌａｎｄ  Ｐｒｅ−Ｐｉｔ）を予め光ディスクに形成しておき、情報の記録または再生を行う際に、このＬＰＰを検出することによりアドレス情報の取得を行っている。図１７に示すように、光ディスクには情報トラックとしてのグルーブ１５と、ガイドトラックとしてのランド１６が交互に形成されている。グルーブ１５には光ヘッドより照射されるスポットＳにより、情報マークの記録が行われる。ランド１６にはアドレス情報を記録しているＬＰＰ１７が予め形成されている。
【０００４】
一方、情報の繰り返し記録が可能な光ディスクであるＤＶＤ―ＲＡＭにおいては、アドレス情報としてＣＡＰＡ（Ｃｏｍｐｌｅｍｅｎｔａｒｙ  Ａｌｌｏｃａｔｅｄ  Ｐｉｔ  Ａｄｄｒｅｓｓ）が予め光ディスクに形成されている。図１８に示すように、光ディスクにはグルーブ１５と、ランド１６が交互に形成されている。情報マークはグルーブ１５のみならず、ランド１６にも記録している。グルーブ１５またはランド１６に対し、１／２トラック分ずれた位置にアドレス情報を記録しているＣＡＰＡ１８が予め形成されている。
【０００５】
このように、ＤＶＤ−ＲやＤＶＤ−ＲＡＭなど複数の規格の光ディスクに記録や再生を行う光ヘッドの従来例を図１５に示す。光ディスク２１０に光を照射して記録または再生を行う光ヘッド２０９には光源２０１が搭載される。光源２０１から出射されるビームの形状は楕円であり、その短辺と長辺の比はほぼ１：３程度となっている。一般に、光ディスク２１０の記録面上での光パワーを大きくするために、ビーム形状を円形に整形するビーム整形光学系が用いられる（例えば特許文献１参照）。
【０００６】
ビーム整形光学系を用いた光ヘッドの構成を図１５を用いて説明する。光源２０１から出射した楕円のビームＡは集光レンズ２０２により略平行なビームＢとなり、ビーム整形プリズム２０３を透過することによりビーム形状が整形され、円形のビームＣとなる。ビームＣは分岐プリズム２０４を透過し、ミラー２０５により反射して、対物レンズ２０６により集光されて、光ディスク２１０に照射される。図１５中に、ミラー２０５と対物レンズ２０６を側面から見た図を同時に示している。光ディスク２１０で反射したビームは逆の経路をたどり、分岐プリズム２０４で反射して、検出レンズ２０７で集光され検出器２０８で検出される。
【０００７】
このような光ヘッド２０９においては、光源２０１と集光レンズ２０２の間隔が変化することで、ビームＢが平行から若干のずれを生じて発散、もしくは収束の非平行なビームとなる。この非平行なビームがビーム整形プリズム２０３を透過すると、非点収差が発生する。そのため、光源２０１と集光レンズ２０２の間隔を精度良く調整を行っている。
【０００８】
非点収差が生じたときの光ディスク２１０に形成されるスポットを図１６（ａ）、図１６（ｂ）に示す。図中、情報トラックであるグルーブ１５とトラック方向を示している。図のように、非点収差があるスポットＳの形状は楕円となる。また、図１５に示すように、ビーム整形方向と光ディスク２１０のトラック方向は直交しているので、非点収差があるスポットＳの形状はトラック方向に対して、縦長あるいは横長となる。このような楕円のスポットは、グルーブ１５に記録された情報の再生には問題ないが、スポットの捜査線上から半径方向（トラック方向と直交する方向）にずれた位置にあるＬＰＰ１７やＣＡＰＡ１８（図１７、図１８参照）を再生するときに支障をきたす。
【０００９】
図１９に非点収差に対するＬＰＰ１７とＣＡＰＡ１８の再生特性を示す。横軸は非点収差、縦軸はデフォーカスマージンを示す。ＣＡＰＡ１８に対して十分なデフォーカスマージンを得るにはＷＡ１の非点収差に調整する必要がある。一方、ＬＰＰ１７に対して十分なデフォーカスマージンを得るにはＷＡ２の非点収差に調整する必要がある。このように、ＬＰＰ１７およびＣＡＰＡ１８のそれぞれに対して最適な非点収差が異なるのは、非点収差がスポットの大きさに関係していることと、ＬＰＰ１７やＣＡＰＡ１８のフォーマット形式が異なることに起因する。そこで、ＬＰＰ１７とＣＡＰＡ１８の両方のデフォーカスマージンを得るために、ＷＡ３の非点収差になるように調整している。
【００１０】
【特許文献１】
特開平７−１８２６８５号公報（第４−５頁、第１１図）
【００１１】
【発明が解決しようとする課題】
ところが、ＬＰＰ１７とＣＡＰＡ１８の両方のデフォーカスマージンを得ようとすると、許容される非点収差の範囲は狭くなってしまう。光源２０１と集光レンズ２０２の間隔を精度良く調整しても、温度変化などの環境変化や経時変化によってその間隔が変化し、非点収差が発生してしまう。その結果、ＬＰＰ１７やＣＡＰＡ１８の再生に支障をきたし、アドレス情報の取得が得られず、良好な情報の記録や再生が行えないという問題がある。
【００１２】
本発明は、ＬＰＰ１７やＣＡＰＡ１８の再生に支障をきたすことなく、アドレス情報の取得ができ、良好な情報の記録や再生が行える光ヘッド、光ヘッドを用いた情報記録再生装置、情報記録再生装置を用いたコンピュータ、映像記録再生装置、映像再生装置、サーバー、カーナビゲーションシステムを得ることを目的とする。
【００１３】
【課題を解決するための手段】
本発明の光ヘッドは、光源と、前記光源から出射する発散ビームを略平行なビームに変換する集光レンズと、前記略平行なビームの少なくとも一方向のビーム径を拡大または縮小させて整形するビーム整形手段と、前記整形されたビームを光情報記録媒体に集光する対物レンズを備える光ヘッドにおいて、前記集光レンズを光軸方向に移動可能とするレンズ駆動手段を備えたことを特徴とする。このような構成にすることにより、ＤＶＤ−ＲやＤＶＤ−ＲＡＭのそれぞれに対して最適な非点収差に調整できるので情報を安定に記録または再生することが可能となる。
【００１４】
本発明の光ヘッドは、波長λ１の発散ビームを出射する第１の光源と、波長λ２の発散ビームを出射する第２の光源と、前記波長λ１の発散ビームと前記波長λ２の発散ビームを略平行なビームに変換する集光レンズと、前記波長λ１の略平行なビームの少なくとも一方向のビーム径を拡大または縮小させて整形するビーム整形手段と、前記整形された波長λ１の略平行なビームを第１の光情報記録媒体に集光し、かつ前記変換された波長λ２の略平行なビームを第２の光情報記録媒体に集光する対物レンズを備える光ヘッドにおいて、前記集光レンズを光軸方向に移動可能とするレンズ駆動手段を備えたことを特徴とする。このような構成にすることにより、ＤＶＤ−ＲやＤＶＤ−ＲＡＭのそれぞれに対して最適な非点収差に調整できるので情報を安定に記録または再生することが可能となる。また、次世代の高密度光ディスクに対して情報を記録または再生することが可能となる。
【００１５】
また、レンズ駆動手段は、前記波長λ１のビームの非点収差の調整と、前記波長λ２のビームの球面収差の調整を行うことを特徴とする。このような構成にすることにより、ＤＶＤ−ＲやＤＶＤ−ＲＡＭの非点収差の調整と次世代の高密度光ディスクの球面収差の補正を１つのレンズ駆動手段で兼用することができ、コストを削減することができる。
【００１６】
また、ビーム整形手段は、前記波長λ１のビームは透過し、前記波長λ２のビームは反射するダイクロイック膜を設けたことを特徴とする。このような構成にすることにより、整形する波長λ１のビームと整形しない波長λ２のビームを分離することができる。
【００１７】
また、ビーム整形手段は、屈折率の異なる２つのプリズムで構成されてことを特徴とする。このような構成にすることにより、ビームの整形が行える。
【００１８】
また、ビーム整形手段はプリズムであり、前記集光レンズから前記対物レンズまでの光路で、前記波長λ１のビームは前記プリズムに少なくとも２回入射することで整形することを特徴とする。このような構成にすることにより、コストを抑えてビームを整形することができる。
【００１９】
また、ビーム整形手段は、少なくとも前記波長λ１のビームは透過し、前記波長λ２のビームは反射するダイクロイック膜を有する第１面と、前記透過した波長λ１のビームが反射する第２面と、前記反射した波長λ１のビームが透過する第３面を有し、前記第３面を透過した波長λ１のビームが再度、第３面に入射することで整形することを特徴とする。このような構成にすることにより、小型のビーム整形手段が得られる。
【００２０】
また、ビーム整形手段のビーム整形方向と前記光情報記録媒体のトラック方向の成す角度が略４５度であることを特徴とする。このような構成にすることにより、情報をより安定に記録または再生することが可能となる。
【００２１】
【発明の実施の形態】
以下に、本発明の実施の形態について図１〜図１４を用いて説明する。以下の各図面の同一符号は同様の作用をなすものを表す。
【００２２】
（実施の形態１）
本発明の実施の形態１の光ヘッドを図１に示す。光源１から出射した楕円の（発散）ビームＡは集光レンズ２により略平行なビームＢとなり、ビーム整形プリズム３を透過することによりビーム形状が整形され、略円形のビームＣとなる。ビームＣは分岐プリズム４を透過し、ミラー５により反射して、対物レンズ６により集光されて、光ディスク１０に照射される。図１中に、ミラー５と対物レンズ６を側面から見た図を同時に示している。光ディスク１０で反射したビームは逆の経路をたどり、分岐プリズム４で反射して、検出レンズ７で集光され検出器８で検出される。
【００２３】
光源１から出射されるビームの形状は楕円であり、その短辺と長辺の比はほぼ１：３程度である。ビーム整形プリズム３により、短辺と長辺の比を１：１から１：２程度になるようにビーム形状を整形することで、光ディスク１０の記録面上での光パワーを大きくしている。
【００２４】
従来例との差異は、集光レンズ２を光軸方向に移動可能とするレンズアクチュエータ１２を設けた点である。
【００２５】
ＤＶＤ−ＲのアドレスであるＬＰＰやＤＶＤ−ＲＡＭのアドレスであるＣＡＰＡは、情報トラックから半径方向にずれた位置にあるため、アドレス再生においては非点収差の影響を大きく受けてしまう。温度変化などによる環境変化や経時変化によって光源１と集光レンズ２の間隔が変化すると非点収差が発生するが、レンズアクチュエータ１２により集光レンズ２の位置を補正することで非点収差の発生を抑えることができる。集光レンズ２の駆動においては、予めアドレス情報の再生信号が最大となる位置を学習しておいて、情報の記録または再生時にはオープン制御を行うことにより簡単に実施可能である。また、時間経過と共にアドレス情報の再生信号が最大となる位置の学習を繰り返せば温度変化が生じても集光レンズ２の位置補正が行え、非点収差の発生が抑えられる。つまり、良好なアドレス再生が行える。
【００２６】
また、ＤＶＤ−ＲやＤＶＤ−ＲＡＭのそれぞれに対して学習が行えるので、ＬＰＰとＣＡＰＡに対して独立に最適な非点収差に調整でき、最適なアドレス再生が行えるという効果も生まれる。
【００２７】
なお、ここでは楕円のビームを略円形のビームに整形する場合について説明したが、これに限らず、非点収差の微調整のためにビームの一方向の拡大率が１．１倍、または縮小率が０．９倍程度であっても良いことは言うまでもない。
【００２８】
（実施の形態２）
本発明の実施の形態２の光ヘッドを図２に示す。実施の形態１との差異は、波長が短い光源１１（例えばその波長が４０５ｎｍ程度）とビーム整形ミラー２３を設けた点であり、ＤＶＤ−Ｒ、ＤＶＤ−ＲＡＭのみならず、次世代の高密度光ディスクの記録または再生を行う光ヘッド３９である。
【００２９】
ＤＶＤなどの光ディスク１０の記録または再生の場合は、光源１（例えばその波長が６５８ｎｍ程度）から出射した楕円のビームＡはプリズム１４を透過し、集光レンズ２により略平行なビームＢとなり、後述するビーム整形ミラー２３でビーム形状が整形され、略円形のビームＣとなる。ビームＣは対物レンズ６により集光されて、光ディスク１０に照射される。図２中に、ビーム整形ミラー２３と対物レンズ６を側面から見た図を同時に示している。光ディスク１０で反射したビームは逆の経路をたどり、分岐プリズム４で反射して、検出レンズ７で集光され検出器８で検出される。
【００３０】
次世代の光ディスク２０の記録または再生の場合は、光源１１から出射したビームａはプリズム１４で反射し、集光レンズ２により略平行なビームｂとなり、後述するビーム整形ミラー２３で反射し、対物レンズ６により集光されて、光ディスク２０に照射される。図２中に、ＤＶＤなどの光ディスク１０と次世代の光ディスク２０は重ねて示している。光ディスク２０で反射したビームは逆の経路をたどり、分岐プリズム４で反射して、検出レンズ７で集光され検出器８で検出される。集光レンズ２は、光軸方向に移動可能となるようにレンズアクチュエータ１２が設けられている。
【００３１】
次世代の光ディスクシステムはＮＡ０．８５、波長４０５ｎｍであり、ＤＶＤと比較して高ＮＡ、短波長である。そのため、光ディスク２０の保護層の厚み誤差により大きな球面収差が発生するので、集光レンズ２を駆動して球面収差補正を行っている。
【００３２】
図４にビーム整形ミラー２３を示す。屈折率の異なるプリズム２３ａ、プリズム２３ｂから構成されている。また、面２３ｒにはＤＶＤ用の波長６５８ｎｍのビームＢを透過させ、次世代の光ディスク用の波長４０５ｎｍのビームｂを反射させるダイクロイック膜が構成されている。面２３ｒを透過したビームＢはビーム整形ミラー２３内で反射し、屈折率の違いを利用してビームの整形が行われ、面２３ｒより出射する。
【００３３】
温度変化などによる環境変化や経時変化によって光源１と集光レンズ２の間隔が変化すると非点収差が発生するが、レンズアクチュエータ１２により集光レンズ２の位置を補正することで非点収差の発生を抑えることができる。集光レンズ２の駆動においては、予めアドレス情報の再生信号が最大となる位置を学習しておいて、情報の記録または再生時にはオープン制御を行うことにより簡単に実施可能である。また、時間経過と共にアドレス情報の再生信号が最大となる位置の学習を繰り返せば温度変化が生じても集光レンズ２の位置補正が行え、非点収差の発生が抑えられる。つまり、良好なアドレス再生が行える。
【００３４】
また、ＤＶＤ−ＲやＤＶＤ−ＲＡＭのそれぞれに対して学習が行えるので、ＬＰＰとＣＡＰＡに対して独立に最適な非点収差に調整でき、最適なアドレス再生が行えるという効果も生まれる。
【００３５】
さらに、レンズアクチュエータ１２は上記で説明した非点収差の調整と、次世代の光ディスク２０の球面収差補正を兼用しているので、コスト削減効果が得られる。
【００３６】
なお、次世代の光ディスク２０の球面収差補正に、集光レンズ２を駆動する方法を説明したが、これに限らず、平行ビームの光路中に２枚の凹凸レンズを備え、２枚のレンズ間隔を変えることで球面収差を補正する方法であっても良い。
【００３７】
また、ここでは楕円のビームを略円形のビームに整形する場合について説明したが、これに限らず、非点収差の微調整のためにビームの一方向の拡大率が１．１倍、または縮小率が０．９倍程度であっても良いことは言うまでもない。
【００３８】
（実施の形態３）
本発明の実施の形態３の光ヘッドを図３に示す。実施の形態２との差異は、三角プリズム３３を用いた点であり、他の構成の説明は省略する。
【００３９】
図５に三角プリズム３３を示す。面３３ｒにはＤＶＤ用の波長６５８ｎｍのビームＢを透過させ、次世代の光ディスク用の波長４０５ｎｍのビームｂを反射させるダイクロイック膜が構成されている。面３３ｒを透過したビームＢは、面３３ｓで反射、面３３ｔで透過し、反射膜が形成された光学基台の面３４で反射し、再び面３３ｔに入射し、面３３ｒから出射する。三角プリズム３３と空気の屈折率の違いを利用してビームの整形が行われる。
【００４０】
温度変化などによる環境変化や経時変化によって光源１と集光レンズ２の間隔が変化すると非点収差が発生するが、レンズアクチュエータ１２により集光レンズ２の位置を補正することで非点収差の発生を抑えることができる。集光レンズ２の駆動においては、予めアドレス情報の再生信号が最大となる位置を学習しておいて、情報の記録または再生時にはオープン制御を行うことにより簡単に実施可能である。また、時間経過と共にアドレス情報の再生信号が最大となる位置の学習を繰り返せば温度変化が生じても集光レンズ２の位置補正が行え、非点収差の発生が抑えられる。つまり、良好なアドレス再生が行える。
【００４１】
また、ＤＶＤ−ＲやＤＶＤ−ＲＡＭのそれぞれに対して学習が行えるので、ＬＰＰとＣＡＰＡに対して独立に最適な非点収差に調整でき、良好なアドレス再生が行えるという効果も生まれる。
【００４２】
さらに、レンズアクチュエータ１２は上記で説明した非点収差の調整と、次世代の光ディスク２０の球面収差補正を兼用しているので、コスト削減効果が得られる。
【００４３】
また、実施の形態２と比較すると、ビームの整形を１つの三角プリズム３３で行えることでコストの削減が図られる。
【００４４】
（実施の形態４）
本発明の実施の形態４の光ヘッドを図６に示す。実施の形態１との差異は、ビーム整形プリズム３のビーム整形方向がトラック方向に対して略４５度となるように光ヘッド５９の光学系を構成している点であり、他の構成の説明は省略する。
【００４５】
図７に、ＤＶＤ−Ｒを再生する場合のスポットＳの状態を示している。情報トラックとしてのグルーブ１５と、ガイドトラックとしてのランド１６が交互に形成されており、ランド１６にはアドレス情報を記録しているＬＰＰ１７が予め形成されている。温度変化などによる環境変化や経時変化によって、光源１と集光レンズ２の間隔が変化して非点収差が発生すると、スポットＳの形状はトラック方向に対して斜めの楕円となる。これは、ビーム整形方向がトラック方向に対して略４５度としているためである。レンズアクチュエータ１２により集光レンズ２の位置を補正することでスポットＳは円形にすることができるが、制御残差や誤差などによって非点収差が生じると、スポットＳは楕円となる。
【００４６】
本実施の形態４によれば、非点収差が生じてスポットＳの形状が変化しても、スポットＳの径が大きく変化する方向は半径方向（トラック方向と直交する方向）に対し略４５度傾いているので、従来例のようにスポットＳの径が大きく変化する方向が半径方向とした場合に比べ、半径方向（トラック方向と直交する方向）のスポット径の変化は低減されることになるのでＬＰＰ１７の良好な再生を維持できる。
【００４７】
図８に、ＤＶＤ−ＲＡＭを再生する場合のスポットＳの状態を示している。グルーブ１５と、ランド１６は交互に形成されており、グルーブ１５またはランド１６に対し、１／２トラック分ずれた位置にアドレス情報を記録しているＣＡＰＡ１８が予め形成されている。この場合においても、上記した理由と同様の理由によりスポットＳの半径方向のスポット径の変化は低減されているので、ＣＡＰＡ１８の良好な再生を維持できる。
【００４８】
また、半径方向のスポット径の変化を抑えたことにより、クロストークが改善されるという効果も生まれる。
【００４９】
（実施の形態５）
図９に光情報記録再生装置としての光ディスクドライブ６７の全体の構成例を示す。光ディスク６１はターンテーブル６２とクランパー６３で挟んで固定され、モーター（回転系）６４によって回転させられる。実施の形態１〜６のいずれかに記載した光ヘッド６０はトラバース（移送系）６５上に乗っており、照射する光が光ディスク６１の内周から外周まで移動できるようにしている。制御回路６６は光ヘッド６０から受けた信号をもとにフォーカス制御、トラッキング制御、トラバース制御、モーターの回転制御等を行う。また再生信号から情報の再生や、記録信号の光ヘッド６０への送出を行う。
【００５０】
このように構成することにより、非点収差の発生を抑えて、良好なアドレス再生が行えるので、異なる種類の光ディスクに映像を安定に記録あるいは再生でき、より信頼性の高い光情報記録再生装置を得ることができる。
【００５１】
（実施の形態６）
実施の形態５に記した光ディスクドライブ（光情報記録再生装置）を具備した、コンピュータの実施の形態を図１０に示す。
【００５２】
図１０において、パソコン（コンピュータ）１００は実施の形態５の光ディスクドライブ１０１と、情報の入力を行うためのキーボード１０３と、情報の表示を行うためのモニター１０２とを備える。
【００５３】
上述の実施の形態５の光ディスクドライブを外部記憶装置として具備したコンピュータは、異なる種類の光ディスクに情報を安定に記録あるいは再生でき、広い用途に使用できるという効果を有するものとなる。光ディスクドライブはその大容量性を生かして、コンピュータ内のハードディスクのバックアップをとったり、メディア（光ディスク）が安価で携帯が容易であること、他の光ディスクドライブでも情報が読み出せるという互換性があることを生かして、プログラムやデータを人と交換したり、自分用に持ち歩いたりすることができる。また、ＤＶＤやＣＤ等の既存のメディアの再生／記録にも対応できる。
【００５４】
（実施の形態７）
実施の形態５に記した光ディスクドライブ（光情報記録再生装置）を具備した、光ディスクレコーダー（映像記録再生装置）の実施の形態を図１１に示す。
【００５５】
図１１において、光ディスクレコーダー１１０は実施の形態５の光ディスクドライブを内蔵しており、記録している映像の表示を行うためのモニター１１１と接続されて使用される。
【００５６】
上述の実施の形態５の光ディスクドライブを具備した、光ディスクレコーダー１１０は、異なる種類の光ディスクに映像を安定に記録あるいは再生でき、広い用途に使用できるという効果を有するものとなる。光ディスクレコーダー１１０はメディア（光ディスク）に映像を記録し、好きな時にそれを再生することができる。光ディスクではテープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で携帯が容易であること、他の光ディスクレコーダーでも情報が読み出せるという互換性があることを生かして、記録した映像を人と交換したり、自分用に持ち歩いたりすることができる。またＤＶＤやＣＤ等の既存のメディアの再生／記録にも対応する。
【００５７】
なお、ここでは光ディスクドライブだけを備える場合について述べたが、ハードディスクを内蔵していても良いし、ビデオテープの録画再生機能を内蔵していても良い。その場合映像の一時退避や、バックアップが容易にできる。
【００５８】
（実施の形態８）
実施の形態５に記した光ディスクドライブ（光情報記録再生装置）を具備した、光ディスクプレーヤー（映像再生装置）の実施の形態を図１２に示す。
【００５９】
図１２において、液晶モニター１２０を備えた光ディスクプレーヤー１２１は実施の形態５の光ディスクドライブを内蔵しており、光ディスクに記録された映像を液晶モニター１２０に表示することができる。上述の実施の形態５の光ディスクドライブを具備した、光ディスクプレーヤー１２１は、異なる種類の光ディスクの映像を安定に再生でき、広い用途に使用できるという効果を有するものとなる。
【００６０】
光ディスクプレーヤー１２１はメディア（光ディスク）に記録された映像を、好きな時に再生することができる。光ディスクではテープのように再生後に巻き戻しの作業が必要なく、ある映像の任意の場所にアクセスして再生することができる。またＤＶＤやＣＤ等の既存のメディアの再生にも対応する。
【００６１】
（実施の形態９）
実施の形態５に記した光ディスクドライブ（光情報記録再生装置）を具備した、サーバーの実施の形態を図１３に示す。
【００６２】
図１３において、サーバー１３０は実施の形態５の光ディスクドライブ１３１と、情報の表示を行うためのモニター１３３と、情報の入力を行うためのキーボード１３４とを備え、ネットワーク１３５と接続されている。
【００６３】
上述の実施の形態５の光ディスクドライブを外部記憶装置として具備した、サーバー１３０は、異なる種類の光ディスクに情報を安定に記録あるいは再生でき、広い用途に使用できるという効果を有するものとなる。光ディスクドライブはその大容量性を生かして、ネットワーク１３５からの要求に応じ、光ディスクに記録されている情報（画像、音声、映像、ＨＴＭＬ文書、テキスト文書等）を送出する。また、ネットワークから送られてくる情報をその要求された場所に記録する。また、ＤＶＤやＣＤ等の既存のメディアに記録された情報も再生が可能であるので、それらの情報を送出することも可能となる。
【００６４】
（実施の形態１０）
実施の形態５に記した光ディスクドライブ（光情報記録再生装置）を具備した、カーナビゲーションシステムの実施の形態を図１４に示す。
【００６５】
図１４において、カーナビゲーションシステム１４０は実施の形態５の光ディスクドライブを内蔵しており、地形や行き先情報の表示を行うための液晶モニター１４１と接続されて使用される。
【００６６】
上述の実施の形態５の光ディスクドライブを具備した、カーナビゲーションシステム１４０は、異なる種類の光ディスクに映像を安定に記録あるいは再生でき、広い用途に使用できるという効果を有するものとなる。カーナビゲーションシステム１４０はメディア（光ディスク）に記録された地図情報と、地上位置確定システム（ＧＰＳ）や、ジャイロスコープ、速度計、走行距離計等の情報を元に、現在位置を割り出しその位置を、液晶モニター上に表示する。また行き先を入力すると、地図情報や道路情報をもとに行き先までの最適な経路を割り出し、それを液晶モニターに表示する。
【００６７】
地図情報を記録するために大容量の光ディスクを用いることで、一枚のディスクで広い地域をカバーして細かい道路情報を提供することができる。また、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めたディスクと交換することで最新の情報を得ることができる。またＤＶＤやＣＤ等の既存のメディアの再生／記録にも対応するため、自動車の中で映画を見たり音楽を聴いたりすることも可能である。
【００６８】
【発明の効果】
以上のように、本発明によれば、１つの光ヘッドでＤＶＤ−ＲやＤＶＤ−ＲＡＭなど規格の異なる光ディスクに対して情報を安定に記録または再生できるという有利な効果が得られる。
【図面の簡単な説明】
【図１】本発明の実施の形態１による光ヘッドの構成を示す概略図
【図２】本発明の実施の形態２による光ヘッドの構成を示す概略図
【図３】本発明の実施の形態３による光ヘッドの構成を示す概略図
【図４】本発明の実施の形態２のビーム整形ミラーの構成を示す概略図
【図５】本発明の実施の形態３の三角プリズムの構成を示す概略図
【図６】本発明の実施の形態４による光ヘッドの構成を示す概略図
【図７】本発明の実施の形態１のスポットとＬＰＰの関係を示す概略図
【図８】本発明の実施の形態１のスポットとＣＡＰＡの関係を示す概略図
【図９】本発明の光ヘッドを用いた光ディスクドライブの概略図
【図１０】本発明の光ディスクドライブを用いたパソコンの外観図
【図１１】本発明の光ディスクドライブを用いた光ディスクレコーダーの外観図
【図１２】本発明の光ディスクドライブを用いた光ディスクプレーヤーの外観図
【図１３】本発明の光ディスクドライブを用いたサーバーの外観図
【図１４】本発明の光ディスクドライブを用いたカーナビゲーションシステムの外観図
【図１５】従来例の光ヘッドの構成を示す概略図
【図１６】従来例のスポットを説明する概略図
【図１７】従来例のスポットとＬＰＰの関係を示す概略図
【図１８】従来例のスポットとＣＡＰＡの関係を示す概略図
【図１９】ＬＰＰとＣＡＰＡの非点収差とデフォーカスマージンの関係を示す図
【符号の説明】
１，１１  光源
２  集光レンズ
３  ビーム整形プリズム
４  分岐プリズム
５  ミラー
６  対物レンズ
７  検出レンズ
８  検出器
２９，３９，４９，５９  光ヘッド
１０，２０  光ディスク
１２  レンズアクチュエータ
１４  プリズム
１５  グルーブ
１６  ランド
１７  ＬＰＰ
１８  ＣＡＰＡ
２３  ビーム整形ミラー
３３  三角プリズム
３４  光学基台の面
６０  光ヘッド
６１  光ディスク
６２  ターンテーブル
６３  クランパー
６４  モーター
６５  トラバース
６６  制御回路
６７  光ディスクドライブ
１００  パソコン
１０１  光ディスクドライブ
１０２，１１１，１３３  モニター
１０３，１３４  キーボード
１１０  光ディスクレコーダー
１２０，１４１  液晶モニター
１２１  光ディスクプレーヤー
１３０  サーバー
１３１  光ディスクドライブ
１３５  ネットワーク
１４０  カーナビゲーションシステム
【図１】
2004227642.tif 000003
【図２】
2004227642.tif 000004
【図３】
2004227642.tif 000005
【図４】
2004227642.tif 000006
【図５】
2004227642.tif 000007
【図６】
2004227642.tif 000008
【図７】
2004227642.tif 000009
【図８】
2004227642.tif 000010
【図９】
2004227642.tif 000011
【図１０】
2004227642.tif 000012
【図１１】
2004227642.tif 000013
【図１２】
2004227642.tif 000014
【図１３】
2004227642.tif 000015
【図１４】
2004227642.tif 000016
【図１５】
2004227642.tif 000017
【図１６】
2004227642.tif 000018
【図１７】
2004227642.tif 000019
【図１８】
2004227642.tif 000020
【図１９】
2004227642.tif 000021